(57)【特許請求の範囲】
【請求項１】
前後一対の縦材（１），（１）とこれら縦材（１），（１）の間に架設される横架材（２）とからなり横方向に複数列設される枠体（Ｂ）と、対向する上記枠体（Ｂ），（Ｂ）の上記横架材（２），（２）の間に架設される足場板（３）とを備える枠組足場に取り付けられる安全手摺（Ａ）であって、対向する上記枠体（Ｂ），（Ｂ）の上記縦材（１），（１）の間に配置される手摺本体（４）と、この手摺本体（４）の左右一対の縦支柱（４０ｌ），（４０ｒ）にそれぞれ取り付けられて対向する上記横架材（２），（２）に引っ掛かる左右一対のフック（５ｌ），（５ｒ）とを備える安全手摺（Ａ）において、
上記各フック（５ｌ），（５ｒ）が上記縦支柱（４０ｌ），（４０ｒ）に固定される基端側部材（５０）と、この基端側部材（５０）に着脱可能に装着される引掛部材（５１）とを備え、
上記基端側部材（５０）が円弧状に形成されて上記縦支柱（４０ｌ），（４０ｒ）の外周に沿う湾曲片（５０ａ）と、この湾曲片（５０ａ）から延設されて対向する前後一対の挟持片（５０ｂ），（５０ｃ）とを備え、
上記引掛部材（５１）が円弧状に形成されて上記横架材（２）に引っ掛かるフック片（５１ａ）と、このフック片（５１ａ）から延設されて上記挟持片（５０ｂ），（５０ｃ）の間に挟持される連結部（５１ｂ）とを備え、
上記基端側部材（５０）は、上記挟持片（５０ｂ），（５０ｃ）の間に上記連結部（５１ｂ）を挟んだ状態でリベット（５２）を打つことにより上記引掛部材（５１）を保持し、  上記リベット（５２）の両側には、上記連結部（５１ｂ）と上記挟持片（５０ｂ），（５０ｃ）とが係合する第一、第二の係合部が形成されることを特徴とする安全手摺。
【請求項２】
上記第一の係合部は、上記連結部（５１ｂ）の先端部に形成される係合溝（５１ｄ）と、上記一方の挟持片（５０ｂ）の基端部に形成される嵌合片（５０ｄ）とからなり、  上記第二の係合部は、上記連結部（５１ｂ）の基端部の両面にそれぞれ突設される一対の突部（５１ｅ），（５１ｆ）と、上記両挟持片（５０ｂ），（５０ｃ）の先端とからなり、
上記連結部（５１ｂ）が上記両挟持片（５０ｂ），（５０ｃ）の間に挟持されたとき、上記嵌合片（５０ｄ）が上記嵌合溝（５１ｄ）に嵌合し、上記各挟持片（５０ｂ），（５０ｃ）の先端が上記各突部（５１ｅ），（５１ｆ）にそれぞれ当接することを特徴とする請求項１に記載の安全手摺。
【請求項３】
隣り合う上記安全手摺（Ａ），（Ａ）のフック片（５１ａ），（５１ａ）が同じ上記横架材（２）に軸方向に並んで引っ掛かる際に、上記一方のフック（５ｒ）の上記フック片（５１ａ）よりも上記他方のフック（５ｌ）の上記フック片（５１ａ）が上記フック片（５１ａ）の厚み分上記縦支柱（４０ｌ），（４０ｒ）に対して足場板側に配置され、
反足場板側に配置される上記一方のフック（５ｒ）の上記フック片（５１ａ）の反足場板側面に誤組み防止手段たる突起（５１ｃ）を備え、
上記各縦支柱（４０ｌ），（４０ｒ）を中空に形成し、これら各縦支柱（４０ｌ），（４０ｒ）内に補強部材（４６）をそれぞれ挿入することを特徴とする請求項１又は２に記載の安全手摺。
【発明の詳細な説明】
【技術分野】
【０００１】
この発明は、建築現場や土木工事で使用さる枠組足場に取り付けられる安全手摺の改良に関する。
【背景技術】
【０００２】
建築現場や土木工事で使用される枠組足場に取り付けられる安全手摺は、例えば、特許文献１に開示されるように、前後一対の縦材とこれら縦材の間に架設される横架材とからなり横方向に複数列設される枠体と、対向する枠体の横架材の間に架設される足場板とを備える枠組足場に取り付けられる。
【０００３】
そして、上記安全手摺は、対向する枠体の縦材の間に配置される手摺本体と、この手摺本体の左右一対の縦支柱にそれぞれ取り付けられて対向する横架材に引っ掛かるフックとを備える。
【０００４】
上記フックは、上記特許文献１の図３に示すように、上記縦支柱に溶接固定される補強部材に溶接固定される基端部と、この基端部に一体的に連設されて上記横架材に引っ掛かるフック片とを備えてなる。
【先行技術文献】
【特許文献】
【０００５】
【特許文献１】特開２００６−３２８６５２号公報
【発明の概要】
【発明が解決しようとする課題】
【０００６】
しかしながら、上記従来の安全手摺において上記フックのフック片が変形し易く、フック片の交換が必要になったとき、フックが一体的に形成されて縦材に溶接固定されているためフック片の交換が困難である。
【０００７】
そこで、本発明の目的は、上記フック片の交換を従来よりも容易にすることが可能な安全手摺を提供することである。
【課題を解決するための手段】
【０００８】
上記課題を解決するための手段は、  前後一対の縦材（１），（１）とこれら縦材（１），（１）の間に架設される横架材（２）とからなり横方向に複数列設される枠体（Ｂ）と、対向する上記枠体（Ｂ），（Ｂ）の上記横架材（２），（２）の間に架設される足場板（３）とを備える枠組足場に取り付けられる安全手摺（Ａ）であって、対向する上記枠体（Ｂ），（Ｂ）の上記縦材（１），（１）の間に配置される手摺本体（４）と、この手摺本体（４）の左右一対の縦支柱（４０ｌ），（４０ｒ）にそれぞれ取り付けられて対向する上記横架材（２），（２）に引っ掛かる左右一対のフック（５ｌ），（５ｒ）とを備える安全手摺（Ａ）において、
上記各フック（５ｌ），（５ｒ）が上記縦支柱（４０ｌ），（４０ｒ）に固定される基端側部材（５０）と、この基端側部材（５０）に着脱可能に装着される引掛部材（５１）とを備え、
上記基端側部材（５０）が円弧状に形成されて上記縦支柱（４０ｌ），（４０ｒ）の外周に沿う湾曲片（５０ａ）と、この湾曲片（５０ａ）から延設されて対向する前後一対の挟持片（５０ｂ），（５０ｃ）とを備え、
上記引掛部材（５１）が円弧状に形成されて上記横架材（２）に引っ掛かるフック片（５１ａ）と、このフック片（５１ａ）から延設されて上記挟持片（５０ｂ），（５０ｃ）の間に挟持される連結部（５１ｂ）とを備え、
上記基端側部材（５０）は、上記挟持片（５０ｂ），（５０ｃ）の間に上記連結部（５１ｂ）を挟んだ状態でリベット（５２）を打つことにより上記引掛部材（５１）を保持し、  上記リベット（５２）の両側には、上記連結部（５１ｂ）と上記挟持片（５０ｂ），（５０ｃ）とが係合する第一、第二の係合部が形成されることを特徴とするものである。
【発明の効果】
【０００９】
本発明によれば、縦支柱に固定される基端側部材にフック片を有する引掛部材が着脱可能に装着されることから、フック片を交換する場合には引掛部材を交換すれば良く、フック片を交換することが従来よりも容易に可能となる。
【図面の簡単な説明】
【００１０】
【図１】本発明の一実施の形態に係る安全手摺を枠組足場に取り付けた状態を示す斜視図である。
【図２】（ａ）は、本発明の一実施の形態に係る安全手摺における左側のフックを拡大して示す平面図であり、（ｂ）は、（ａ）の正面図である。
【図３】（ａ）は、本発明の一実施の形態に係る安全手摺における右側のフックを拡大して示す平面図であり、（ｂ）は、（ａ）の正面図である。
【図４】本発明の一実施の形態に係る安全手摺を示す正面図である。
【図５】図４のＸ−Ｘ´線切断部端面図である。
【図６】（ａ）は、本発明の一実施の形態に係る安全手摺における右側の枠押え金具を拡大して示す平面図であり、（ｂ）は、（ａ）の正面図である。
【図７】（ａ）は、本発明の一実施の形態に係る安全手摺における左側の閂金具を拡大して示す平面図であり、（ｂ）は、（ａ）の正面図である。
【図８】（ａ）は、本発明の一実施の形態に係る安全手摺における右側の閂金具を拡大して示す平面図であり、（ｂ）は、（ａ）の正面図である。
【発明を実施するための形態】
【００１１】
以下に本発明の一実施の形態を示す安全手摺について、図面を参照しながら説明する。いくつかの図面を通して付された同じ符号は、同じ部品かまたはそれに対応する部品を示す。
【００１２】
図１に示すように、本実施の形態に係る安全手摺Ａは、前後一対の縦材１，１とこれら縦材１，１の間に架設される横架材２とからなり横方向に複数列設される枠体Ｂと、対向する上記枠体Ｂ，Ｂの上記横架材２，２の間に架設される足場板３とを備える枠組足場に取り付けられる。
【００１３】
上記安全手摺Ａは、対向する上記枠体Ｂ，Ｂの上記縦材１，１の間に配置される手摺本体４と、この手摺本体４の左右一対の縦支柱４０ｌ，４０ｒにそれぞれ取り付けられて対向する上記横架材２，２に引っ掛かる左右一対のフック５ｌ，５ｒとを備える。
【００１４】
そして、図２，３に示すように、上記各フック５ｌ．５ｒは、上記縦支柱４０ｌ，４０ｒに固定される基端側部材５０と、この基端側部材５０に着脱可能に装着され上記横架材２に引っ掛かるフック片５１ａを有する引掛部材５１とからなる。
【００１５】
以下に詳細に説明すると、本実施の形態に係る安全手摺Ａは、図１に示すように、枠組足場を多段状に組み立てる際に、既に設置された下段側の足場板（図示せず）から新設する上段側足場板３の先行仮設手摺として取り付けられる。
【００１６】
上記安全手摺Ａは、上記したように、対向する縦材１，１の間に配置される手摺本体４と、この手摺本体４を枠組足場に取り付ける取り付け手段とを備えてなる。
【００１７】
上記手摺本体４は、図４に示すように、左右一対の縦支柱４０ｌ，４０ｒと、これら縦支柱４０ｌ，４０ｒの上端の間に架け渡される手摺棒４１と、上記縦支柱４０ｌ，４０ｒの間に架設される上下の横つなぎ４２，４３と、これら横つなぎ４２，４３の間に架設される左右の縦つなぎ４４，４５とからなる。
【００１８】
また、上記縦支柱４０ｌ，４０ｒは、図５に示すように、中空のパイプからなり、この縦支柱４０ｌ，４０ｒ内には補強部材４６がそれぞれ挿入される。
【００１９】
尚、図５には、右側の縦支柱４０ｒのみを示すが、左側の縦支柱４０ｌにも右側の縦支柱４０ｒと同様に補強部材４６が挿入される（図４）。
【００２０】
そして、これら補強部材４６は、中空のパイプからなり、図４に示すように、下側の横つなぎ４３から上記縦支柱４０ｌ，４０ｒの略中央に亘って配置される。
【００２１】
上記手摺本体４を枠組足場に取り付ける取り付け手段は、両縦支柱４０ｌ，４０ｒに取り付けられてなり、図４中上側から左右一対の枠押え金具６ｌ，６ｒ、左右一対のフック５ｌ，５ｒ、左右一対の閂金具７ｌ，７ｒとからなる。
【００２２】
上記各枠押え金具６ｌ，６ｒは、図６に示すように、それぞれが板状に形成されて対向する前後一対の挟持金具６０，６１と、これら挟持金具６０，６１をつなぐ縦支柱４０ｌ，４０ｒ側及び縦材１側の架設片６２，６３と、上記挟持金具６０，６１の基端部を貫通すると共に上記縦支柱４０ｌ，４０ｒを前後に貫通するボルト６４と、このボルト６４の先端に螺合するナット６５とを備える。
【００２３】
尚、図６には、右側の枠押え金具６ｒのみを示すが、左側の枠押え金具６ｌは、右側の枠押え金具６ｒと左右対称であり、同一の構成を有するものである。
【００２４】
そして、上記両挟持金具６０，６１の先端部が離間すると共に、上記架設片６２の縦支柱４０ｌ，４０ｒ側端部がこの縦支柱４０ｌ，４０ｒの外周に沿って湾曲し、架設片６３の縦材側１，１端部が縦材１，１の外周に沿うよう湾曲してなり、上記枠押え金具６ｌ，６ｒは、挟持金具６０，６１の基端部の間に縦支柱４０ｌ，４０ｒを配置した状態でボルト固定され、挟持金具６０，６１の先端部及び架設片６３の湾曲する端部で縦材１，１を支持する。
【００２５】
また、上記各枠押え金具６ｌ，６ｒの下側に配置される上記各フック５ｌ，５ｒは、上記補強部材４６の略中央に位置し、図２，図３に示し、上記したように縦支柱４０ｌ，４０ｒに固定される基端側部材５０と、この基端側部材５０に着脱可能に装着され上記横架材２に引っ掛かるフック片５１ａを有する引掛部材５１とからなる。
【００２６】
上記基端側部材５０は、背面（反足場板側）が円弧状に形成されて縦支柱４０ｌ，４０ｒの外周に沿う湾曲片５０ａと、この湾曲片５０ａから延設されて対向する前後一対の挟持片５０ｂ，５０ｃとを備えてなり、これら挟持片５０ｂ，５０ｃの間に上記引掛部材５１を挟持する。
【００２７】
上記湾曲片５０ａは、縦支柱４０ｌ，４０ｒの外周正面（足場板側）に溶接固定され、上記基端側部材５０は、挟持片５０ｂ，５０ｃの間に引掛部材５１を挟んだ状態でリベット５２を打つことにより、挟持片５０ｂ，５０ｃの間に引掛部材５１を挟持する。
【００２８】
また、上記挟持片５０ｂ，５０ｂは、上記湾曲片５０から手前側（足場板側）に斜めに配置される。
【００２９】
そして、上記引掛部材５１は、円弧状に形成されて対向する横架材２に引っ掛かるフック片５１ａと、このフック片５１ａから延設されて上記挟持片５０ｂ，５０ｃの間に挟持される連結部５１ｂとを備えてなる。
【００３０】
上記フック片５１ａは、横架材２に直交するよう配置され、その下面が略半円状に形成されて横架材２の上側半外周面に当接するよう設定される。
【００３１】
また、上記連結部５１ｂは、上記挟持片５０ｂ，５０ｃに沿うよう上記フック片５１ａから奥側（反足場板側）に斜めに配置される。
【００３２】
尚、本実施の形態において、左右のフック５ｌ，５ｒにおける引掛部材５１，５１の形状が若干異なり、左側のフック５ｌ（図２）の連結部５１ｂが右側のフック５ｒ（図３）の連結部５１ｂよりも長く設定され、フック片５１ａの前後の厚み分、左側のフック５ｌのフック片５１ａが右側のフック５ｒのフック片５１ａよりも手前側（足場板側）に配置される。
【００３３】
さらに、図３に示すように、上記右側のフック５ｒにおいて、そのフック片５１ａの背面（反足場板側面）には、誤組み防止手段たる突起５１ｃが設けられている。
【００３４】
そして、上記各フック５ｌ，５ｒの下側に取り付けられる各閂金具７ｌ，７ｒは、図１に示すように縦材１，１の間に取り付けられるブレス８を避けるため、上下にずれて配置される。
【００３５】
また、上記リベット５２の両側には、連結部５１ｂと挟持片５０ｂ，５０ｃとが係合する第一、第二の係合部が形成され、第一の係合部は、連結部５１ｂの先端部正面側に形成される嵌合溝５１ｄと、前側（図２（ａ），図３（ａ）中下側）の挟持片５０ｂの基端部に形成される嵌合片５０ｄとからなる。
【００３６】
一方、上記第二の係合部は、連結部５１ｂの基端部正面側及び背面側にそれぞれ突設される一対の突部５１ｅ，５１ｆと、両挟持片５０ｂ，５０ｃの先端とからなる。
【００３７】
そして、連結部５１ｂが挟持片５０ｂ，５０ｃの間に挟持されたとき、前側の挟持片５０ｂの基端部に形成される嵌合片５０ｄが上記嵌合溝５１ｄに嵌合し、各挟持片５０ｂ，５０ｃの先端が上記各突部５１ｅ，５１ｆにそれぞれ当接する。
【００３８】
図７，図８に示すように、各閂金具７ｌ，７ｒは、縦支柱４０ｌ，４０ｒの下端部が挿通する環状の環状部７０と、この環状部７０から対向する縦材１側に延設される延設部７１と、この延設部７１の背面側（反足場板側）端部から縦材１の外周背面に沿って湾曲しながら手前側（足場板側）に延設される抱持片７２と、上記延設部７１の正面側（足場板側）端部から抱持片７２の先端部に対向して延設される支持片７３とからなる。
【００３９】
そして、各閂金具７ｌ，７ｒの上記各抱持片７２，７２で縦材１，１を抱持した状態で、支持片７３，７３を左右に貫通する孔７３ａから抱持片７２，７２の先端部を左右に貫通する孔７２ａにかけて楔７４，７４を打ち込むことにより、各閂金具７ｌ，７ｒを縦材１，１に固定することが可能となる。
【００４０】
更に、縦材１，１に固定した両閂金具７ｌ，７ｒの環状部７０，７０に上記両フック５ｌ，５ｒを取り付けた手摺本体Ａの縦支柱４０ｌ，４０ｒを挿通し、上記両フック５ｌ，５ｒを対向する横架材２，２に引っ掛けることにより、既に設置された足場板から新設する上段の足場板３の安全手摺を先行して取り付けることができる。
【００４１】
つまり、本実施の形態において、手摺本体４を構成する縦支柱４０ｌ，４０ｒが中空のパイプからなり、この縦支柱４０ｌ，４０ｒ内に補強用の補強部材４６が挿入されることから、強度を要する縦支柱４０ｌ，４０ｒの一部のみを補強部材４６で補強することが可能となる。
【００４２】
したがって、縦支柱４０ｌ，４０ｒの肉厚を薄くしても作業者が足場板から落下したときの衝撃に耐えることが可能となり、安全手摺Ａを軽量化することが可能となる。
【００４３】
また、本実施の形態において、上記補強部材４６が縦支柱４０ｌ，４０ｒの下部から略中央に亘って設けられ、補強部材４６の略中央にフック５ｌ，５ｒが位置する。
【００４４】
したがって、作業者が足場板から落下した際の衝撃が手摺本体４に作用したとき、補強部材４６で縦支柱４０ｌ，４０ｒが倒れることを確実に防止することが可能となる。
【００４５】
また、本実施の形態において、フック５が縦支柱４０ｌ，４０ｒに溶接固定される基端側部材５０と、この基端側部材５０に着脱可能に装着される引掛部材５１とからなり、この引掛部材５１に横架材２に引っ掛かるフック片５１ａが形成される。
【００４６】
したがって、フック片５１ａが変形した場合には、引掛部材５１のみを交換すれば良く、引掛部材５１は基端側部材５０にリベット５２で固定されていることから、縦材に溶接固定されている従来のフックと比較してフック片５１ａの交換を容易にすることが可能となる。
【００４７】
また、本実施の形態における右側のフック５ｒにおいて、そのフック片５１ａの背面に突起５１ｃが設けられていることから、同じ横架材２に右側のフック５ｒと左側のフック５ｌを引っ掛けるとき、上記突起５１ｃは、左側のフック６ｌのフック片５１ａが右側のフック５ｒのフック片５１ａ奥側（反足場板側）に配置されること、即ち、誤組みを防止することが可能となる。
【００４８】
また、本実施の形態において、誤組み防止手段が突起５１ｃからなることにより、誤組みしたときには同じ横架材２に引っ掛かる左右のフック片５１ａ，５１ａの間に隙間ができるため、誤組みの発見が容易である。
【００４９】
さらに、本実施の形態において、誤組み防止手段たる突起５１ｃが奥側（足場板側）に位置する右側のフック５ｒにおけるフック片５１ａの背面に配置されることから、左側のフック５ｌにおけるフック片５１ａの正面に突起を形成する場合と比較して閂金具７ｌに楔７４を打ち込む際の妨げとならない。
【００５０】
また、命綱の基端を手摺棒４１に連結した作業者が足場板３から落下した場合、フック５ｌ，５ｒに捩れ方向に力が作用するが、本実施の形態においては、リベット５２の両側に係合部が形成されるため、垂直方向にかかる力をＰ、横架材２とリベット５２の中心間の幅をｌ、連結部５１ｂの高さをｈとしたとき（図２（ｂ），図３（ｂ））、Ｐｌ／ｈで表される水平方向の力ＲＨを両係合部、で負担することが可能となる。
【００５１】
したがって、リベット５２は、垂直方向の力Ｐのみを負担すればよく、作業者が落下した際にリベット５２にかかる力を小さくすることが可能となる。
【００５２】
以上、本発明の好ましい実施の形態を詳細に説明したが、特許請求の範囲から逸脱することなく改造、変形及び変更を行うことができることは理解すべきである。
【００５３】
例えば、上記実施の形態においては、補強部材４６が中空のパイプからなるとしたが、中実柱状部材からなるとしてもよく、補強部材４６の形状や長さは適宜選択することが可能である。
【００５４】
また、上記実施の形態において、誤組み防止手段が突起５１ｃからなるとしたがこの限りではなく、左右のフック５ｌ，５ｒを着色することにより誤組みを防止するとしても良く、また、突起５１ｃを設ける位置も図示する限りではない。
【００５５】
また、図示しないが、上記誤組み防止手段を、正しい取り付け位置において対向する左右のフック５ｌ，５ｒの一方の対向面に突起を、他方の対向面に上記突起が係合する溝を設けても良く、この場合においては、突起が溝に係合しない場合に誤組みであることを判断することが可能となる。
【符号の説明】
【００５６】
Ａ  安全手摺
Ｂ  枠体
１  縦材
２  横架材
３  足場板
４  手摺本体
５ｌ，５ｒ  フック
６ｌ，６ｒ  枠押え金具
７ｌ，７ｒ  閂金具
４０ｌ，４０ｒ  縦支柱
４１  手摺棒
５０  基端側部材
５０ａ  湾曲片
５０ｂ，５０ｃ  挟持片
５１  引掛部材
５１ａ  フック片
５１ｂ  連結部
５１ｃ  突起
５２  リベット
６０，６１  挟持金具
６２，６３  架設片
７０  環状部
７１  延設部
７２  抱持片
７３  支持片
７４  楔
【図１】
0005848513.tif 000002
【図２】
0005848513.tif 000003
【図３】
0005848513.tif 000004
【図４】
0005848513.tif 000005
【図５】
0005848513.tif 000006
【図６】
0005848513.tif 000007
【図７】
0005848513.tif 000008
【図８】
0005848513.tif 000009